(57)【要約】【課題】換気面積を多く設けることができると共に、施工性が優れ、高い防水性を備えうる通気部材を提供する。【解決手段】通気部材Ａは、外部側に開放する通気孔１０を有する外部通気片１と、内部側に開放する開口１１と、開口１１の縁となる縁１１ａを有する内部通気片２と、外部通気片１と内部通気片２とを連結させ、建屋の壁側取付面２１か、天井側取付面２８か少なくとも一方に固定しうる固定部４ａと、固定部４ａから延設された延設部４ｂとを有する補強部材４と、からなる。また、通気孔１０と開口１１との間に配されて補強部材４の延設部４ｂに支持され、風圧力により開口１１方向に可動し、開口１１を閉鎖しうる開閉弁３を有する。外部通気片２は、取り外ししうるように、補強部材４に装着されている。【選択図】    図２
2018111943.tif 000002
【特許請求の範囲】
【請求項１】
外部側に開放する通気孔を有する外部通気片と、
内部側に開放する開口と、
前記開口の縁となる縁部を有する内部通気片と、
前記外部通気片と前記内部通気片とを連結させ、建屋の壁側取付面か、天井側取付面か少なくとも一方に固定しうる固定部と、該固定部から延設された延設部とを有する補強部材と、
からなることを特徴とする通気部材。
【請求項２】
前記通気孔と前記開口との間に配されて前記補強部材の延設部に支持され、風圧力により前記開口方向に可動し、前記開口を閉鎖しうる開閉弁を有することを特徴とする請求項１に記載した通気部材。
【請求項３】
前記外部通気片は、取り外ししうるように、前記補強部材に装着されていることを特徴とする請求項１に記載した通気部材。
【発明の詳細な説明】
【技術分野】
【０００１】
本発明は、建物用通気部材に関するものである。
【背景技術】
【０００２】
小屋裏の劣化を軽減するため、軒裏に通気部材に設置し、小屋裏を換気する工法が従来より実施されている。
【０００３】
建築基準法施行令では、急激な延焼防止のため、長屋または共同住宅の各戸の界壁は、小屋裏又は天井裏に達せしめなければならない旨規定されている。また住宅の品質確保の促進等に関する法律では、劣化対策として小屋裏換気基準が定められており、この基準を満たすためには、換気口の有効面積は天井面積に対して所定の割合以上であることが求められる。すなわち長屋等の場合、小屋裏は戸毎に界壁により区切られ、ある戸の小屋裏を換気するための通気部材は間口部分のみにしか取り付けられない場合があり、戸建て住宅に比して通気部材の有効換気面積は多く必要になる。
【０００４】
また、長屋等に限らず、通気部材の換気面積を多く設けることは、意匠性上、通気部材を部分的に設置したい場合や、立地や納まりの関係で防水上厳しい部分を避け、通気部材を部分的に設置したい場合に有用である。
【先行技術文献】
【特許文献】
【０００５】
【特許文献１】特許第４４９８１０７号公報
【特許文献２】特開２００７−１４６５７０号公報
【特許文献３】特許第５２３５３３９号公報
【発明の概要】
【発明が解決しようとする課題】
【０００６】
通気部材の換気面積を多くしようとする場合、換気孔のサイズ及び通気部材断面の通気経路を大きくする必要があり、これに伴い通気部材自体が大型化することになる。通気部材は加工性や経済性から薄肉の鋼板や樹脂で成形されることが多いが、大型化すると、自重が増し、また剛性が弱まり設計通りの断面形状を保持し難くなる。故に建屋に安定よく取り付けるためには、複数箇所を留め付ける必要があり、通気部材の設計断面に対応するため下地を精度よく複数設けなければならず、また留付に手間がかかる問題が生ずる。
【０００７】
また通気部材の換気孔のサイズ、通気経路を大きくする程、吹き込む風量が増し、これに伴い雨水が吹き込みやすくなるので、より高い防水性を備えることが望ましい。
【０００８】
特許文献１の技術では、対向した板状の部材が夫々構造材としての機能を期待されているため、強度を補償する点から換気孔の面積を大きくとれないという問題が生じる。
【０００９】
特許文献２の技術について、換気面積を多くするため、通気部材が大型になる場合、防水及び換気性の点で、開閉弁からこの当てとなる軒天材下面までの距離を安定的に設定することを強度面から検討する必要性が生じる。また、開閉弁を応答よく作動させるために、開閉弁の下方に風を受ける空間を設けることが望ましい。また換気孔は、この技術のように虫やコウモリが入り込まないように形成することが好ましいが、換気孔が汚れた場合、通気部材全体を取り外すことなく、換気孔をメンテナンスできることが望ましい。
【００１０】
特許文献３の技術のように、開閉弁を垂下するように構成した場合、設計通りの通気経路を確保することについて、通気部材の設置角度による影響を受けないようにすることが望ましい。
【００１１】
本発明は、このような従来の構成が有していた問題を解決しようとするものであり、換気面積を多く設けることができると共に、施工性が優れ、高い防水性を備えうる通気部材を提供することを目的とするものである。
【課題を解決するための手段】
【００１２】
上記課題を解決する第１の通気部材は、外部側に開放する通気孔を有する外部通気片と、内部側に開放する開口と、前記開口の縁となる縁部を有する内部通気片と、前記外部通気片と前記内部通気片とを連結させ、建屋の壁側取付面か、天井側取付面か少なくとも一方に固定しうる固定部と、該固定部から延設された延設部とを有する補強部材と、からなることを特徴とする。
【００１３】
第２の通気部材は、上記第１の通気部材に加えて、前記通気孔と前記開口との間に配されて前記補強部材の延設部に支持され、風圧力により前記開口方向に可動し、前記開口を閉鎖しうる開閉弁を有することを特徴とする。
【００１４】
第３の通気部材は、上記第１の通気部材に於いて、前記外部通気片は、取り外ししうるように、前記補強部材に装着されていることを特徴とする。
【発明の効果】
【００１５】
本発明に係る第１の通気部材では、本発明に係る第１の通気部材では、外部通気片と内部通気片を補強部材によって連結すると共に、該補強部材の固定部を、建屋の壁側取付面か、天井側取付面に固定する構成としている。このため、外部通気片及び内部通気片を構造材としての強度を要求することなく、単に通気孔或いは開口を形成するための部材とすることができ、各通気片に充分に大きい面積を有する通気孔或いは開口を形成することができるうえに、通気部材の断面を安定した状態で保持しつつ建屋に容易に固定することができる。
【００１６】
本発明に係る第２の通気部材では、風圧力により可動する開閉弁は、補強部材の支持部により支える構成であるので、開閉弁は通気を阻害することなく安定して、かつ簡単に設けることができる。また開閉弁に風を受ける空間を設けることができ、応答よく開閉弁を作動させることができる。
【００１７】
本発明に係る第３の通気部材では、外部通気片は補強部材に取り外ししうるように、装着されているので、通気孔が汚れた場合や、外部通気片自体が劣化した場合などは、保守作業や交換作業を容易に行うことができる。
【図面の簡単な説明】
【００１８】
【図１】本実施例に係る通気部材を軒天井に取り付けた状態を説明する図である。
【図２】通気部材の断面図である。
【図３】外部通気片の構成を説明する図である。
【図４】内部通気片の構成を説明する図である。
【図５】開閉弁を構成する閉塞片と支持片を説明する図である。
【図６】補強部材の構成を説明する図である。
【図７】通気部材の組立構成を示す展開図である。
【図８】通気部材の他の例を説明する図である。
【発明を実施するための形態】
【００１９】
以下、本発明に係る通気部材の好ましい実施例について図を用いて説明する。通気部材Ａは建物に設定された単位寸法に対応した長さ、幅を有する単位部材として構成されており、対象となる建物の軒天井に長手方向に連続させて、或いは断続的に配置されるように構成されている。
【００２０】
図１、図２において、通気部材Ａは、壁側取付面２１となる外壁２５の下地材に固定されることにより、軒裏に配置され、通常状態では建物の外部と建物の内部に構成された小屋裏空間２３との通気を図るように構成されている。図中２２は鼻隠し材であり、２６は鼻隠し下地材である。なおこれらの図においては通気部材Ａは鼻隠し材２２と直接取り合う構成としたが、通気部材Ａと鼻隠し材２２との間に軒天材を介在させる構成としてもよい。また通気部材Ａは外壁２５の外表面上から固定する構成としてもよい。
【００２１】
通気部材Ａは、下方に配置された外部通気片１と、上方に配置された内部通気片２と、によって断面形状がロ字状に構成されており、該ロ字状断面の内部に開閉弁３と、補強部材４が配置されている。そして、外部通気片１に形成された通気孔１０と内部通気片２に形成された開口１１との間に通気路５が構成されている。
【００２２】
図７に通気部材Ａの端部に小口フタ６を装着する構成を示す。この小口フタ６を介して隣り合う通気部材Ａや他の軒裏を構成する部材と接続される。または小口フタ６を介さず、これらの部材と接続する構成としてもよい。
【００２３】
通気部材Ａは、補強部材４を木ねじや釘などの留付具２４によって壁側取付面２１に留め付けることで固定されている。このように、通気部材Ａが補強部材４を利用して壁側取付面２１に固定されることで、該通気部材Ａに作用する力を補強部材４によって負担することが可能となる。このため、外部通気片１、内部通気片２に構造部材としての機能を期待することがなく、外部通気片１に形成する通気孔１０、及び内部通気片２に形成する開口１１を夫々大きい面積をもった開口を設けることができるとともに、これに対応する大きさをもった通気経路（図中ａ〜ｃの空隙）を設けることが可能である。
【００２４】
外部通気片１は、図３に示すように、下片１ａと、下片１ａに対し直角に起立する起立片１ｂと、下片１ａの自由端に起立片１ｂと平行に形成された折曲片１ｃと、からなる略Ｌ字型に形成されている。
【００２５】
下片１ａには、下部通気孔となる複数の通気孔１０が形成されている。この通気孔１０の数や形状は特に限定するものではないが、効率の良い通気性を確保し得るような数と形状であることが好ましい。特に、通気孔１０は、虫類やコウモリが小屋裏空間２３に侵入することがないような形状と寸法であることが好ましい。図では、通気孔１０はブリッジ状に切り起こして形成してあるが、これによらず単純な穴によって形成してもよい。
【００２６】
起立片１ｂは、補強部材４の固定部４ａに対応する位置に留付具２４を挿通するための開口１ｅが形成されている。また、折曲片１ｃにより外部通気片1の剛性を向上させることができ安定して設置できる。
【００２７】
内部通気片２は、図４に示すように、縦片２ａと、縦片２ａに対し直角に形成された上片２ｂと、上片２ｂに対し直角に垂下し前述の外部通気片１に形成された起立片１ｂと共に縦片２ａと対向する垂下片２ｃと、縦片２ｂに対し直角に形成され上片２ｂと対向する水平片２ｄと、水平片２ｄの自由端から下方に向けて垂下形成された折曲片２ｅと、を有して形成されている。尚、同図に於いて、（ｅ）は（ａ）の部分拡大図であり、（ｆ）は（ｃ）の部分拡大図である。
【００２８】
縦片２ａは、壁側取付面２１と接触し補強部材４の固定部４ａと共に該壁側取付面２１に固定されるものであり、補強部材４の配置位置毎に留付具２４を挿通するための複数の穴２ｆが形成されている。
【００２９】
上片２ｂには小屋裏空間２３との通気をはかるために通気孔となる複数の開口１１が形成されている。開口１１は、開閉弁３による開閉が確実に行えるように、上片２ｂに於ける縦片２ａ側に接近させた位置に形成されている。本実施例では、内部通気片２の上片２ｂに、長手方向に沿って複数の穴を形成することで開口１１を構成している。従って、上片２ｂに於ける開口１１の周縁が開口１１の縁１１ａとなる。
【００３０】
開口１１の数や形状は限定するものではない。しかし、開口１１の総面積は、外部通気片１に形成した通気孔１０の総面積と略等しくなるように設定されている。本実施例では、開閉弁３の位置や形状などの条件に合わせて、前述した通気孔１０よりも幅の広い長方形に形成されている。また、上片２ｂの縦片２ａ側には、後述する開閉弁３の支持片３ａを取り付けるための穴２ｇが形成されている。
【００３１】
垂下片２ｃは、下端部分が外部通気片１の起立片１ｂの上端部分と重なり、両片１ｂ、２ｃとが取り合う。また、垂下片２ｃは、補強部材４の起立固定部４ｃに固定される。このため、垂下片２ｃに於ける補強部材４の配置位置毎に固定用の穴２ｈが形成されている。
【００３２】
水平片２ｄは、通気部材Ａを壁側取付面２１に取り付けたとき、折曲片２ｅが外壁２５を回避すると共に該折曲片２ｅと外壁２５との間に外部通気片１の折曲片１ｃを挿入し得るような寸法を有している。
【００３３】
開閉弁３は、外部通気片１と内部通気片２とによって断面がロ字状に形成された通気部材Ａの内部に配置され、風圧力によって可動し得るように構成されている。そして、風圧力が小さいときには、図２に実線で示す状態を保持して通気孔１０と開口１１とを結ぶ通気路５を開放し、風圧力が大きくなったときには、同図に二点鎖線で示すように回動して通気路５を閉塞するものである。
【００３４】
開閉弁３は、支持片３ａと、支持片３ａに支持されて可動し、すべての開口１１を閉塞（通気路５を全長にわたって遮断）し得る寸法を有する閉塞片３ｂと、支持片３ａと閉塞片３ｂを接続する可撓性を有する接続片３ｃと、を有して構成されている。
【００３５】
支持片３ａは、図５に示すように、固定部３ａ１と、支持部３ａ２と、固定部３ａ１と支持部３ａ２を接続する接続部３ａ３と、からなる断面形状がコ字状に形成さている。そして、固定部３ａ１が内部通気片２の上片２ｂに固定され、接続部３ａ３が縦片２ａに沿って配置され、支持部３ａ２が通気路５に突起して配置される。また、固定部３ａ１の内部通気片２の上片２ｂに形成した穴２ｇと対応する位置には、該穴２ｇを介して固定するための穴３ａ４が形成されている。
【００３６】
閉塞片３ｂは、図５に示すように、平坦面からなる閉塞部３ｂ１と、閉塞部３ｂ１の幅方向の一方側の端部に形成された折曲片３ｂ２と、からなる断面形状がＬ字状に形成されている。このように、閉塞片３ｂをＬ字状に形成することで曲げ剛性を向上させ、これにより、長さ寸法が大きくなっても、確実に通気路５を閉塞することが可能である。
【００３７】
接続片３ｃは支持片３ａと閉塞片３ｂを接続するものであり、通気孔１０から入り込んだ風圧力の大きさに対応して閉塞片３ｂを可動させるものである。従って、このような機能、即ち蝶番としての機能を有するものであれば構造を限定することなく利用することが可能である。しかし、風圧力の作用によって閉塞片３ｂを可動させるためには、回動或いは曲げに対する抵抗は適度な値であることが好ましい。即ち、接続片３ｃの抵抗が大きいと、開閉弁３の開閉に要する風圧力も大きいことが必要となる。
【００３８】
本実施例では、接続片３ｃとして接着性、弾性を有するテープを利用している。このテープの種類を特に限定するものではなく、小屋裏空間２３に対する通気を開閉すべき風速、或いは外部と屋内側の圧力差に対応させて設定することが好ましい。
【００３９】
補強部材４は通気部材Ａの複数の箇所に配置され、該補強部材４を介して通気部材Ａを壁側取付面２１に固定するものである。この補強部材４はピース状の金物として構成されており、該補強部材４に外部通気片１、内部通気片２を固定し、或いは取り付けることで通気部材Ａを構成している。このように構成された通気部材Ａは、作用する力を補強部材４を介して壁側取付面２１に伝えることで、各通気片１、２に強度的な負担をかけることがない。
【００４０】
補強部材４は、図６に示すように、縦片２ａと対向して重なる固定部４ａと、固定部４ａの一方の端部（上端部）から内部通気片２の垂下片２ｃに向けて延設された延設部４ｂと、延設部４ｂの自由端に形成され垂下片２ｃと平行に形成された起立固定部４ｃと、固定部４ａの他方の端部（下端部）から延設部４ｂと並行してクランク状に形成され外部通気片１を取り付けるための取付部４ｄと、からなる断面形状が略コ字状に形成されている。
【００４１】
補強部材４の固定部４ａには、通気部材Ａを壁側取付面２１に取り付ける際に留付具２４を挿通するための留付穴４ｅが形成されている。また、起立固定部４ｃには、垂下片２ｃを取り付けるための取付穴４ｆが形成されており、更に、取付部４ｄには外部通気片１を取り付ける際にねじを螺合するためのねじ穴４ｇが形成されている。
【００４２】
延設部４ｂは、起立固定部４ｃ側が固定部４ａ側よりも低い段差部４ｂ１が形成されており、段差部４ｂ１に後述するパッキン１２ｂを取り付け、該パッキン１２ｂによって開閉弁３が開口１０を開放しているときの閉塞片３ｂを支持し得るように構成されている。
【００４３】
補強部材４に於ける通気部材Ａの長手方向に沿った寸法は特に限定するものではなく、通気部材Ａの長さ寸法、外部通気片１、内部通気片２の材質や板厚等の条件や、通気部材Ａに対する補強部材４の配置数等の条件に対応させて適宜設定することが好ましい。
【００４４】
内部通気片２の上片２ｂの、閉塞片３ｂが可動して当接する可能性のある部位に、長手方向の全長にわたってクッション１２ａを設けることにより、閉塞片３ｂが接触するときに音が発生することを防止することができ、また閉塞片３ｂと上片２ｂとの接する部分の水密性を向上させることができる。また同様に、補強部材４の延設部４ｂの、閉塞片３ｂと当接する部位にクッション１２ｂを設けることにより、閉塞片３ｂが接触したときに音が発生することを防止することができる。このようなクッションの材質としては、ＥＰＤＭ等ゴムやポリ塩化ビニル等樹脂からなる発泡体が好適である。
【００４５】
補強部材４の起立固定部４ｃに内部通気片２の垂下片２ｃを固定する固定具１５、上片２ｂに開閉弁３の支持片３ａを固定する固定具１５は特に限定するものではなく、小ねじやリベットを利用することが可能である。本実施例では、固定具１５として、外部に突起する部分が少なく且つ確実な固定を実現するためにリベットを用いている。
【００４６】
補強部材４の取付部４ｄに形成されたねじ穴４ｂと、外部通気片１の下片１ａに形成された穴１ｄとを対向させ、ねじ１６を締結することで、外部通気片１が補強部材４に取り付けられている。従って、外部通気片１は補強部材４に対し着脱可能に構成されている。このため、通気部材Ａの点検や、換気孔の交換などのメンテナンスを容易に行うことが可能である。
【００４７】
通気経路に面して、長手方向に沿い、グラファイト系等からなる熱により膨張する不燃性体積膨張材１３を設けることにより、熱を受けた際、不燃性体積膨張材１３が通気経路内に膨張される。これにより、小屋裏空間２３側の温度上昇を抑制することができ防火性を向上させることができる。
【００４８】
また、符号１４は内部通気片２の垂下片２ｂに設けた、前述のクッションと同様の材質からなる水密材であり、換気部材Ａとこれに取り合う部材との間に形成される隙間を遮断して雨水等の浸入を阻止し得るように構成されている。
【００４９】
次に、図８（ａ）により、通気部材Ａを天井側取付面２８となる天井側下地材に取り付けた例について説明する。尚、図に於いて、２７は外壁、破風、鼻隠し材等の外装材であり、２９は軒天材、３０は軒天材下地（野縁）である。また、前述の実施例と同一の部分又は同一の機能を有する部分には同一の符号を付して説明を省略する（以下同じ）。
【００５０】
図に示すように、通気部材Ａは勾配天井を構成する外装材２７と軒天材２９の間に配置され、補強部材４の留付片４ｈを介して留付具２４によって天井側取付面２８に留め付けることで固定されている。留付片４ｈは、段差部４ｂ１を延設させて形成することが可能である。本図は、勾配天井に通気部材Ａを設置した構成であるが、開閉弁３は補強部材４により支える構成としてあるので、設置角度に影響されず、設計通りの換気面積を確保することができる。
【００５１】
図８（ｂ）に開口１１の変形例を示す。この通気部材Ａには、長手方向に連続した開口１１が形成されている。開口１１は、内部通気片２を、縦片２ａから上片２ｂの一部にかけての形状と縁２ｉを有する略コ字状の片と、垂下片２ｃから上片２ｂの一部にかけての形状と縁２ｊを有する略Ｌ字状の片とに分割し、夫々の片を補強部材４を利用して固定することで、縁２ｉ、２ｊの間隔を有する開口１１を形成している。
【００５２】
図８（ｃ）に開口１１の他の変形例を示す。この通気部材Ａには、長手方向に連続した開口１１が形成されている。開口１１は、縦片２ａの上端側を補強部材４の延設部４ｂに沿って折り曲げて開閉弁３の閉塞片３ｂの支持片とした片と、垂下片２ｃから上片２ｂの一部にかけての形状と縁２ｊを有する略Ｌ字状の片とに分割し、夫々の片を補強部材４を利用して固定することで、縁２ｊと開放状態に於ける閉塞片３ｂとの間隔を有する開口１１を形成している。
【産業上の利用可能性】
【００５３】
本発明に係る通気部材は、軒天井を有する建物に利用して有利である。
【符号の説明】
【００５４】
Ａ                通気部材
１                外部通気片
２                内部通気片
３                開閉弁
４                補強部材
５                通気路
６                小口フタ
１０              通気孔
１１              開口
１２ａ、１２ｂ    クッション
１３              不燃性体積膨張材
１４              水密材
１５              固定具
１６              ねじ
２１              壁側取付面
２２              鼻隠し材
２３              小屋裏空間
２４              留付具
２５              外壁
２６              鼻隠し下地材
２７              外装材
２８              天井側取付面
２９              軒天材
３０              軒天材下地
【図１】
2018111943.tif 000003
【図２】
2018111943.tif 000004
【図３】
2018111943.tif 000005
【図４】
2018111943.tif 000006
【図５】
2018111943.tif 000007
【図６】
2018111943.tif 000008
【図７】
2018111943.tif 000009
【図８】
2018111943.tif 000010